(57)【特許請求の範囲】
【請求項１】
筒状に形成された本体と、
前記本体の一方の側面に設けられ、前記本体の内側に移動することにより開閉可能に前記本体に接続された捕獲扉と、
前記本体の他方の側面に設けられた殺虫剤噴射口と、
一端が前記捕獲扉に接続され、他端が前記本体の外部に露出している把持部と、
を備え、
前記把持部は、前記一端が前記本体の内部を通って前記捕獲扉に接続され、前記他端が前記本体の外部に露出している
ことを特徴とする虫捕獲器。
【請求項２】
筒状に形成された本体と、
前記本体の一方の側面に設けられ、前記本体の内側に移動することにより開閉可能に前記本体に接続された捕獲扉と、
前記本体の他方の側面に設けられた殺虫剤噴射口と、
一端が前記捕獲扉に接続され、他端が前記本体の外部に露出している把持部と、
を備え、
前記捕獲扉は、一部の辺が前記本体に対して回転軸として固定されており、
前記把持部の一端は、前記捕獲扉の前記本体に固定されていない辺に接続されている
ことを特徴とする虫捕獲器。
【請求項３】
請求項２に記載の虫捕獲器であって、
前記捕獲扉は、複数に分割されている
ことを特徴とする虫捕獲器。
【請求項４】
筒状に形成された本体と、
前記本体の一方の側面に設けられ、前記本体の内側に移動することにより開閉可能に前記本体に接続された捕獲扉と、
前記本体の他方の側面に設けられた殺虫剤噴射口と、
一端が前記捕獲扉に接続され、他端が前記本体の外部に露出している把持部と、
を備え、
前記本体の辺に沿って前記捕獲扉を前記本体の内部で移動させるためのレール、
を備えることを特徴とする虫捕獲器。
【請求項５】
請求項４に記載の虫捕獲器であって、
前記本体の長手方向をｚ軸方向とし、閉鎖状態の前記捕獲扉がｘｙ平面に平行であるとした場合、
前記捕獲扉のx軸に平行な第１の辺は、前記本体のz軸方向の辺に設けられた前記レールに沿って移動され、
前記捕獲扉のx軸に平行な第１の辺とは異なる第２の辺は、前記本体のｙ軸方向の辺に設けられた前記レールに沿って移動される
ことを特徴とする虫捕獲器。
【請求項６】
請求項４に記載の虫捕獲器であって、
前記本体の長手方向をｚ軸方向とし、閉鎖状態の前記捕獲扉がｘｙ平面に平行であるとした場合、
前記捕獲扉のx軸に平行な第１の辺は、前記本体に対して回転軸として固定されており、
前記捕獲扉のx軸に平行な第１の辺とは異なる第２の辺の両端には、本体の外部に突出した前記把持部としてのスライダが固定されており、
前記スライダは、前記本体のｙ軸方向の辺に設けられた前記レールに沿って移動される
ことを特徴とする虫捕獲器。
【請求項７】
筒状に形成された本体と、
前記本体の一方の側面に設けられ、前記本体の内側に移動することにより開閉可能に前記本体に接続された捕獲扉と、
前記本体の他方の側面に設けられた殺虫剤噴射口と、
一端が前記捕獲扉に接続され、他端が前記本体の外部に露出している把持部と、
を備え、
前記捕獲扉は、前記本体の内部で折り畳み可能に形成されている
ことを特徴とする虫捕獲器。
【請求項８】
請求項１〜７のいずれか一項に記載の虫捕獲器であって、
前記殺虫剤噴射口は、ネジ式キャップ、または栓によって塞がれている
ことを特徴とする虫捕獲器。
【請求項９】
請求項１〜８のいずれか一項に記載の虫捕獲器であって、
前記殺虫剤噴射口及びネジ式キャップの少なくとも一方には、ゴム弁が設けられている
ことを特徴とする虫捕獲器。
【発明の詳細な説明】
【技術分野】
【０００１】
本発明は、害虫を捕殺する場合に用いて好適な虫捕獲器に関する。
【背景技術】
【０００２】
ゴキブリ等の害虫を捕殺する場合、殺虫剤スプレーを噴射することが多い。しかしながら、害虫は逃げ回ることが多く、殺虫剤を害虫以外の場所に噴射してしまうことがある。
【０００３】
この対策として、例えば特許文献１には、噴射菅から延びるノズルの先端に漏斗状の捕虫器を設けたノズル付き殺虫剤スプレーが記載されている。
【先行技術文献】
【特許文献】
【０００４】
【特許文献１】実全平０１−０７７８６５号公報
【発明の概要】
【発明が解決しようとする課題】
【０００５】
特許文献１に記載のノズル付き殺虫剤スプレーでは、ノズル付き殺虫剤スプレーと捕虫器が組み合わされているため、害虫の種類に応じたノズル付き殺虫剤スプレーを用意しなければならない。また、害虫を捕虫器に保持する仕組みがないので、捕殺した害虫を例えばごみ箱に廃棄する場合、捕殺した害虫を紙で包んだり、捕虫器以外の道具を用いたりしてごみ箱まで搬送する必要がある。
【０００６】
本発明は、このような状況に鑑みてなされたものであり、害虫の捕殺、廃棄を容易に実行できるようにすることを目的とする。
【課題を解決するための手段】
【０００７】
本願は、上記課題の少なくとも一部を解決する手段を複数含んでいるが、その例を挙げるならば、以下のとおりである。
【０００８】
上記課題を解決すべく、本発明の一態様に係る虫捕獲器は、筒状に形成された本体と、前記本体の一方の側面に設けられた開閉自在な捕獲扉と、前記本体の他方の側面に設けられた殺虫剤噴射口と、一端が前記捕獲扉に接続され、他端が前記本体の外部に露出している把持部と、を備えることを特徴とする。
【０００９】
前記殺虫剤噴射口は、ネジ式キャップ、または栓によって塞ぐことができる。
【００１０】
前記殺虫剤噴射口及びネジ式キャップの少なくとも一方には、ゴム弁を設けることができる。
【００１１】
前記捕獲扉は、一部の辺が前記本体に対して回転軸として固定することができ、前記把持部の一端は、前記捕獲扉の前記本体に固定されていない辺に接続することができる。
【００１２】
前記捕獲扉は、複数に分割することができる。
【００１３】
前記虫捕獲器は、前記本体の辺に沿って前記捕獲扉を前記本体の内部で移動させるためのレール、を備えることができる。
【００１４】
前記捕獲扉は、前記本体の内部で折り畳み可能に形成することができる。
【発明の効果】
【００１５】
本発明によれば、害虫の捕殺、廃棄を容易に実行することが可能となる。
【００１６】
上記した以外の課題、構成及び効果は、以下の実施形態の説明により明らかにされる。
【図面の簡単な説明】
【００１７】
【図１】図１は、本発明の第１実施形態に係る虫捕獲器の構成例を示す図である。
【図２】図２は、ネジ式キャップの一例を示す斜視図である。
【図３】図３は、第１実施形態における捕獲扉の開閉動作を説明するための図である。
【図４】図４は、本発明の第２実施形態に係る虫捕獲器の構成例を示す図である。
【図５】図５は、第２実施形態における捕獲扉の開閉動作を説明するための図である。
【図６】図６は、本発明の第３実施形態に係る虫捕獲器の構成例を示す図である。
【図７】図７は、第３実施形態における捕獲扉の開閉動作を説明するための図である。
【図８】図８は、本発明の第４実施形態に係る虫捕獲器の構成例を示す図である。
【図９】図９は、第４実施形態における捕獲扉の開閉動作を説明するための図である。
【発明を実施するための形態】
【００１８】
以下、本発明に係る複数の実施形態を図面に基づいて説明する。なお、各実施形態を説明するための全図において、同一の部材には原則として同一の符号を付し、その繰り返しの説明は省略する。また、以下の実施形態において、その構成要素（要素ステップ等も含む）は、特に明示した場合および原理的に明らかに必須であると考えられる場合等を除き、必ずしも必須のものではないことは言うまでもない。また、「Ａからなる」、「Ａよりなる」、「Ａを有する」、「Ａを含む」と言うときは、特にその要素のみである旨明示した場合等を除き、それ以外の要素を排除するものでないことは言うまでもない。同様に、以下の実施形態において、構成要素等の形状、位置関係等に言及するときは、特に明示した場合および原理的に明らかにそうでないと考えられる場合等を除き、実質的にその形状等に近似または類似するもの等を含むものとする。
【００１９】
＜本発明の第１実施形態に係る虫捕獲器１１の構成例＞
図１は、本発明の第１実施形態に係る虫捕獲器１１の構成例を示している。
【００２０】
虫捕獲器１１は、長手方向がｚ軸に平行な筒状の本体２１、本体２１の一方（底部側）のｘｙ面に設けられた捕獲扉２３、本体２１の他方（上部側）のｘｙ面に設けられた錐状の本体上部２２、引き上げ板２５Ａ，２５Ｂ、殺虫剤噴射口２６、及びネジ式キャップ２７を備える。
【００２１】
同図の場合、虫捕獲器１１の本体２１は四角筒状であり、捕獲扉２３は四角形、本体上部２２は四角錐状であるが、これらの形状は図示する例に限定されない。
【００２２】
本体２１、及び本体上部２２は、外部から内部が見えるように、例えばプラスチック等の透明な材料によって形成されている。なお、本体２１、及び本体上部２２は、水等を入れて販売されている２リットルサイズ程度のＰＥＴボトルを流用してもよい。
【００２３】
捕獲扉２３は、本体２１の底面側の側面に配置される。捕獲扉２３は、本体２１のｘｙ面での断面とほぼ同一の面積を有し、その一部の辺が本体２１の底部の辺に回転軸として固定されており、本体２１の内側に引き上げることによって開閉できるようになされている。
【００２４】
同図の場合、捕獲扉２３は、ｙ軸方向の長さの略半分で扉２３Ａ，２３Ｂに２分割されており、それぞれのｘ軸に平行な辺の一方が本体２１の底部のｘ軸に平行な辺に回転軸として固定されており、本体２１の内側に観音開き方式で開閉できるようになされている。なお、捕獲扉２３の分割数は２に限らず、３以上であってもよい。
【００２５】
引き上げ板２５Ａ，２５Ｂは、本発明の把持部に相当する。引き上げ板２５Ａ，２５Ｂは、所定の強度を有するプラスチック、金属、木材等の材料を板状に形成したものである。なお、引き上げ板２５Ａ，２５Ｂの代わりに、棒状の引き上げ棒を用いてもよい。
【００２６】
引き上げ板２５Ａは、その一端が扉２３Ａの本体２１に固定されている辺と対向する辺に接続され、その他端が本体上部２２に設けられた切込み２４Ａから本体２１の外部に露出した状態で、その大部分が本体２１の内部に配置されている。同様に、引き上げ板２５Ｂは、その一端が扉２３Ｂの本体２１に固定されている辺と対向する辺に接続され、その他端が本体上部２２に設けられた切込み２４Ｂから本体２１の外部に露出した状態で、その大部分が本体２１の内部に配置されている。
【００２７】
錐状の本体上部２２の頂点部分には、スプレー式殺虫剤のノズルを差し込み、本体２１の内部に殺虫剤を噴射するための殺虫剤噴射口２６が開口されている。殺虫剤噴射口２６の外側には、着脱可能なネジ式キャップ２７が取り付けられている。ネジ式キャップ２７には、上述したＰＥＴボトルのキャップを流用してもよい。ネジ式キャップ２７の代わりに、殺虫剤噴射口２６を塞ぐ栓を採用してもよい。
【００２８】
図２は、ネジ式キャップ２７の一例を示す斜視図である。同図の場合、ネジ式キャップ２７の上面には、円形を８等分したゴム弁２８が設けられている。ゴム弁２８を設けた場合、ネジ式キャップ２７を殺虫剤噴射口２６から取り外すことなく、本体２１の内部に殺虫剤を噴射することができる。また、本体２１の内部に噴射した殺虫剤の逆流や捕獲した害虫の脱出を抑止することができる。
【００２９】
なお、ゴム弁２８を殺虫剤噴射口２６に設けるようにしてもよい。
【００３０】
次に、図３は、虫捕獲器１１における捕獲扉２３の開閉動作を説明するための図である。
【００３１】
同図（Ａ）に示されるように、捕獲扉２３が閉鎖されている状態において、ユーザが引き上げ板２５Ａ，２５Ｂを＋ｚ軸方向に引き上げると、同図（Ｂ）に示されるように、扉２３Ａ，２３Ｂは、それぞれの一辺が本体２１の辺に固定された状態で本体２１の内側において引き上げられる。よって、捕獲扉２３を開放することができる。反対に、捕獲扉２３が開放されている状態において、ユーザが引き上げ板２５Ａ，２５Ｂを押し下げると、扉２３Ａ，２３Ｂが本体２１の内側において押し下げられる。よって、捕獲扉２３を閉鎖することができる。
【００３２】
なお、引き上げ板２５Ａ，２５Ｂのｚ軸方向の長さを長くして、同図（Ａ）に示された状態から引き上げ板２５Ａ，２５Ｂをさらに押し下げられるようにすれば、捕獲扉２３を本体２１の外側に開放することができる。このようにすれば、捕殺後の害虫を容易に本体２１の外部に廃棄することができる。
【００３３】
＜虫捕獲器１１の使用方法＞
次に、虫捕獲器１１の使用方法の一例について説明する。
【００３４】
はじめに、ユーザは、殺虫剤噴射口２６にネジ式キャップ２７が取り付けられていることを確認した後、図３（Ｂ）に示されたように、引き上げ板２５Ａ，２５Ｂを引き上げて捕獲扉２３を開放した状態で、捕獲対象の害虫を上から虫捕獲器１１によって覆うことにより害虫を捕獲する。
【００３５】
次に、本体２１の内部に害虫が入っていることを確認できた後、虫捕獲器１１を振るなどして害虫を本体２１の内部で上方に移動させてから、図３（Ａ）に示されたように、引き上げ板２５Ａ，２５Ｂを押し下げて捕獲扉２３を閉鎖する。
【００３６】
次に、ネジ式キャップ２７のゴム弁２８から、捕獲した害虫に適したスプレー式殺虫剤のノズルを差し込み、本体２１の内部に殺虫剤を噴射する。最後に、捕獲扉２３を開放して、捕殺した害虫を本体２１の外部に廃棄する。
【００３７】
以上説明したように、虫捕獲器１１によれば、害虫の種類に適した殺虫剤を噴射でき、捕殺した害虫を容易に廃棄することができる。
【００３８】
＜本発明の第２実施形態に係る虫捕獲器１２の構成例＞
次に、図４は、本発明の第２実施形態に係る虫捕獲器１２の構成例を示している。
【００３９】
虫捕獲器１２は、虫捕獲器１１（図１）における捕獲扉２３、引き上げ板２５Ａ，２５Ｂ、及び切込み２５Ａ，２５Ｂの代わりに、捕獲扉３１、ｙ軸レール３２、ｚ軸レール３３、引き上げ紐３４、及び切込み３５を備える。なお、虫捕獲器１２の構成要素のうち、虫捕獲器１１の構成要素と共通するものには同一の符号を付してその説明は省略する。
【００４０】
捕獲扉３１は、本体２１の底面側のｘｙ面とほぼ同一の面積を有する。捕獲扉３１のｘ軸に平行な２辺のうち、一方の辺３１１は、ｙ軸レール３２に沿ってｙ軸方向に移動することができ、他方の辺３１２は、ｚ軸レール３３に沿ってｚ軸方向に移動することができる。
【００４１】
引き上げ紐３４は、本発明の把持部に相当する。引き上げ紐３４は、捕獲扉３１の辺３１２に取り付けられており、ｚ軸方向の切込み３５を通って本体２１の外部に露出している。
【００４２】
次に、図４は、虫捕獲器１２における捕獲扉３１の開閉動作を説明するための図である。
【００４３】
同図（Ａ）に示されるように、捕獲扉３１が閉鎖されている状態において、ユーザが引き上げ紐３４を＋ｚ軸方向に引き上げると、同図（Ｂ）に示されるように、捕獲扉３１の辺３１１は−ｙ軸方向に、辺３１２は＋ｚ軸方向に移動する。よって、開放領域Ｏを出現させることができる。さらに、ユーザが引き上げ紐３４を＋ｚ軸方向に引き上げると、同図（Ｃ）に示されるように、捕獲扉３１の辺３１１は−ｙ軸方向に、辺３１２は＋ｚ軸方向にさらに移動する。よって、開放領域Ｏを拡大することができる。
【００４４】
反対に、ユーザが引き上げ紐３４を−ｚ軸方向に引き下げると、捕獲扉３１の辺３１１は＋ｙ軸方向に、辺３１２は−ｚ軸方向に移動する。よって、開放領域Ｏを徐々に狭めて最終的に捕獲扉３１を閉鎖することができる。
【００４５】
なお、虫捕獲器１２の使用方法については、上述した虫捕獲器１１の使用方法と同様のため、その説明は省略する。虫捕獲器１２によれば、虫捕獲器１１と同様の効果を得ることができる。
【００４６】
＜本発明の第３実施形態に係る虫捕獲器１３の構成例＞
次に、図６は、本発明の第３実施形態に係る虫捕獲器１３の構成例を示している。
【００４７】
虫捕獲器１３は、虫捕獲器１２（図４）における引き上げ紐３４、及び切込み３５の代わりに、引き上げ棒４１、棒通し孔４２、及び取手４３を備える。なお、虫捕獲器１３の構成要素のうち、虫捕獲器１１，１２の構成要素と共通するものには同一の符号を付してその説明は省略する。
【００４８】
引き上げ棒４１、及び取手４３は、本発明の把持部に相当する。引き上げ棒４１は、所定の強度を有するプラスチック、金属、木材等の材料を棒状に形成したものである。なお、引き上げ棒４１の代わりに、板状の引き上げ板を用いてもよい。
【００４９】
引き上げ棒４１は、その一端が捕獲扉３１の辺３１２に接続され、その他端が本体上部２２に設けられた棒通し孔４２から本体２１の外部に露出した状態で、その大部分が本体２１の内部に配置されている。引き上げ棒４１の本体２１から露出している部分には、取手４３が設けられている。なお、同図において、引き上げ棒４１は２本設けられているが、棒通し孔４２の数は１本または３本以上であってもよい。
【００５０】
次に、図７は、虫捕獲器１３における捕獲扉３１の開閉動作を説明するための図である。
【００５１】
同図（Ａ）に示されるように、捕獲扉３１が閉鎖されている状態において、ユーザが取手４３を掴んで引き上げ棒４１を＋ｚ軸方向に引き上げると、同図（Ｂ）に示されるように、捕獲扉３１の辺３１１は−ｙ軸方向に、辺３１２は＋ｚ軸方向に移動する。よって、開放領域Ｏを出現させることができる。さらに、ユーザが引き上げ棒４１を＋ｚ軸方向に引き上げると、同図（Ｃ）に示されるように、捕獲扉３１の辺３１１は−ｙ軸方向に、辺３１２は＋ｚ軸方向にさらに移動する。よって、開放領域Ｏを拡大することができる。
【００５２】
反対に、ユーザが取手４３を掴んで引き上げ棒４１を−ｚ軸方向に引き下げると、捕獲扉３１の辺３１１は＋ｙ軸方向に、辺３１２は−ｚ軸方向に移動する。よって、開放領域Ｏを徐々に狭めて最終的に捕獲扉３１を閉鎖することができる。
【００５３】
なお、虫捕獲器１３の使用方法については、上述した虫捕獲器１１の使用方法と同様のため、その説明は省略する。虫捕獲器１３によれば、虫捕獲器１１と同様の効果を得ることができる。
【００５４】
＜本発明の第４実施形態に係る虫捕獲器１４の構成例＞
次に、図８は、本発明の第４実施形態に係る虫捕獲器１４の構成例を示している。
【００５５】
虫捕獲器１４は、虫捕獲器１１（図１）における捕獲扉２３、引き上げ板２５Ａ，２５Ｂ、及び切込み２５Ａ，２５Ｂの代わりに、捕獲扉５１、スライダ５２、及びｙ軸レール５３を備える。なお、虫捕獲器１４の構成要素のうち、虫捕獲器１１の構成要素と共通するものには同一の符号を付してその説明は省略する。
【００５６】
捕獲扉５１は、本体２１の底面側のｘｙ面とほぼ同一の面積を有し、ｘ軸と平行な線を軸として折り畳めるように形成されている。同図の場合、捕獲扉５１は２つに折り畳めるように形成されているが、捕獲扉５１の折り畳み数は３以上であってもよい。
【００５７】
捕獲扉５１のｘ軸に平行な一方の辺５１１には本体２１の底部のｘ軸に平行な辺に回転軸として固定されており、他方の辺５１２にはその両端にスライダ５２が設けられている。スライダ５２は、本発明の把持部に相当する。スライダ５２は、ｙ軸方向に移動することができる。
【００５８】
次に、図９は、虫捕獲器１４における捕獲扉５１の開閉動作を説明するための図である。
【００５９】
同図（Ａ）に示されるように、捕獲扉５１が閉鎖されている状態において、ユーザがスライダ５２を−ｙ軸方向に移動すると、同図（Ｂ）に示されるように、捕獲扉５１の辺５１２は−ｙ軸方向に移動して、捕獲扉５１が本体２１の内部で折り畳まれる。よって、開放領域Ｏを出現させることができる。さらに、ユーザがスライダ５２を−ｙ軸方向に移動すると、同図（Ｃ）に示されるように、捕獲扉５１の辺３１１は−ｙ軸方向にさらに移動する。よって、開放領域Ｏを拡大することができる。
【００６０】
反対に、ユーザがスライダ５２を＋ｙ軸方向に移動すると、捕獲扉５１の辺５１２は＋ｙ軸方向に移動する。よって、開放領域Ｏを徐々に狭めて最終的に捕獲扉５１を閉鎖することができる。
【００６１】
なお、虫捕獲器１４の使用方法については、上述した虫捕獲器１１の使用方法と同様のため、その説明は省略する。虫捕獲器１２によれば、虫捕獲器１１と同様の効果を得ることができる。
【００６２】
本明細書に記載された効果はあくまで例示であって限定されるものではなく、他の効果があってもよい。
【００６３】
本発明は、上記した実施形態に限定されるものではなく、様々な変形例が含まれる。例えば、上記した各実施形態は、本発明を分かりやすく説明するために詳細に説明したものであり、本発明が、必ずしも説明した全ての構成要素を備えるものに限定されるものではない。また、ある実施形態の構成の一部を、他の実施形態の構成に置き換えることが可能であり、ある実施形態の構成に、他の実施形態の構成を加えることも可能である。また、各実施形態の構成の一部について、他の構成の追加・削除・置換をすることが可能である。
【符号の説明】
【００６４】
１１〜１４・・・虫捕獲器、２１・・・本体、２２・・・本体上部、２３・・・捕獲扉、２３Ａ，２３Ｂ・・・扉、２５Ａ，２５Ｂ・・・引き上げ板、２６・・・殺虫剤噴射口、２７・・・ネジ式キャップ、２８・・・ゴム弁、３１・・・捕獲扉、３２・・・ｙ軸レール、３３・・・ｚ軸レール、３４・・・引き上げ紐、４１・・・引き上げ棒、４２・・・棒通し孔、４３・・・取手、５１・・・捕獲扉、５２・・・スライダ、５３・・・ｙ軸レール、Ｏ・・・開放領域
【要約】
【課題】  害虫の捕殺、破棄を容易にする。
【解決手段】  虫捕獲器は、筒状に形成された本体と、前記本体の一方の側面に設けられた開閉自在な捕獲扉と、前記本体の他方の側面に設けられた殺虫剤噴射口と、一端が前記捕獲扉に接続され、他端が前記本体の外部に露出している把持部と、を備えることを特徴とする。
【選択図】  図１【図１】
0006697202.tif 000002
【図２】
0006697202.tif 000003
【図３】
0006697202.tif 000004
【図４】
0006697202.tif 000005
【図５】
0006697202.tif 000006
【図６】
0006697202.tif 000007
【図７】
0006697202.tif 000008
【図８】
0006697202.tif 000009
【図９】
0006697202.tif 000010